(57)【要約】【課題】操作部の入力キーを発光させるための発光源を同一基板とした誘導加熱調理器を提供する。【解決手段】トッププレート２に被加熱物を載置して加熱する加熱部と、トッププレート２に配置して前記加熱部の加熱条件を入力する入力キーからなる操作部と、トッププレート２に配置して前記操作部の入力した内容を表示する表示部とを備え、前記操作部は、前記入力キーを示す印刷３１と、印刷３１の位置と対応した位置に静電容量の変化で入力する静電容量変化検出部３４を設けたタッチスイッチ基板３３と、タッチスイッチ基板３３の静電容量変化検出部３４の近傍に側面方向に光を放す発光素子２１と、静電容量変化検出部３４の上面に設け発光素子２１からの光の光軸を略９０度曲げて印刷３１の施した面を照らす導光体２２と、トッププレート２とタッチスイッチ基板３３との間に発光素子２１と導光体２２を設けるためのスペーサ２３とを備えたものである。【選択図】  図４
2013054907.tif 000002
【特許請求の範囲】
【請求項１】
本体と、前記本体の上面に設けたトッププレートと、前記トッププレートに被加熱物を載置して加熱する加熱部と、前記トッププレートの前側に配置して前記加熱部の加熱条件を入力する入力キーからなる操作部と、前記トッププレートの前側に配置して前記操作部の入力した内容を表示する表示部とを備え、
前記操作部は、前記入力キーを示す印刷と、該印刷の位置と対応した位置に静電容量の変化で入力する静電容量変化検出部を設けたタッチスイッチ基板と、該タッチスイッチ基板の前記静電容量変化検出部の近傍に側面方向に光を放す発光素子と、前記静電容量変化検出部の上面に設け前記発光素子からの光の光軸を略９０度曲げて前記印刷の施した面を照らす導光体と、前記トッププレートと前記タッチスイッチ基板との間に前記発光素子と前記導光体を設けるためのスペーサとを備えたことを特徴とする誘導加熱調理器。
【請求項２】
請求項１に記載の誘導加熱調理器において、
前記タッチスイッチ基板に配置する前記発光素子は、前記本体に配置する前記加熱部側とは反対となる前側の外郭側に配置したことを特徴とする誘導加熱調理器。
【発明の詳細な説明】
【技術分野】
【０００１】
本発明は、誘導加熱調理器等のトッププレート上に配置された操作部を静電容量変化検出方式のタッチスイッチとした誘導加熱調理器に関するものである。
【背景技術】
【０００２】
従来、誘導加熱調理器の操作部の視認性を良くするために、トッププレートの下方に配置した導光体を発光することで操作部エリア全体を点灯させて使用者へ知らせることをしていた。また、操作性を良くするために、入力有効な操作部のみ発光させた特許文献１に示す加熱調理器がある。
【０００３】
特許文献１に示す加熱調理器は、操作部と発光素子を設けた発光基板と操作部を点灯するために発光素子の光を略９０度に曲げた導光体からなる面状発光部で構成されている。
【先行技術文献】
【特許文献】
【０００４】
【特許文献１】特開２０１０−９１１８９号公報
【発明の概要】
【発明が解決しようとする課題】
【０００５】
従来、この種の誘導加熱調理器においては、トッププレートに載置した鍋等を誘導加熱する場合、加熱された鍋の熱がトッププレートを伝わって周囲に伝達されるため、鍋近傍のトッププレートの温度は高温となっていた。そのため、トッププレート下部に装着する電気・電子部品を実装している基板については部品の使用温度範囲を考慮した配置構成としている。特に、特許文献１に示す導電体検知部いわゆる操作部を点灯するための発光素子を独立した発光基板に設けてトッププレートから離す構成としているため、付随している構造部品を含めると構成部品は、非常に多く複雑であるため慎重な作業が求められる。そのために構成する部品原価も高価となる課題があった。
【課題を解決するための手段】
【０００６】
本発明は、上記の課題を解決するためになされたもので、本体と、前記本体の上面に設けたトッププレートと、前記トッププレートの前側に被加熱物を載置して加熱する加熱部と、前記トッププレートの前側に配置して前記加熱部の加熱条件を入力する入力キーからなる操作部と、前記トッププレートに配置して前記操作部の入力した内容を表示する表示部とを備え、前記操作部は、前記入力キーを示す印刷と、該印刷の位置と対応した位置に静電容量の変化で入力する静電容量変化検出部を設けたタッチスイッチ基板と、該タッチスイッチ基板の前記静電容量変化検出部の近傍に側面方向に光を放す発光素子と、前記静電容量変化検出部の上面に設け前記発光素子からの光の光軸を略９０度曲げて前記印刷の施した面を照らす導光体と、前記トッププレートと前記タッチスイッチ基板との間に前記発光素子と前記導光体を設けるためのスペーサとを備えたものである。
【０００７】
また、前記タッチスイッチ基板に配置する前記発光素子は、前記本体に配置する前記加熱部側とは反対となる前側の外郭側に配置したものである。
【発明の効果】
【０００８】
本発明では、操作部の部品構成が１つの基板に静電容量変化検出する複数のタッチスイッチとタッチスイッチの配置に合わせた複数の発光部が設けられていることで、視認性を向上させたまま、発光部への熱の悪影響を排除し、構成する基板の数や基板を保持する構造部品数を低減することができるメリットがあり、製品の組立てが容易になり、コスト低減をはかることができる。
【図面の簡単な説明】
【０００９】
【図１】一実施例の誘導加熱調理器本体の平面図。
【図２】一実施例の誘導加熱調理器の操作部を表すトッププレートのカット図。
【図３】一実施例の誘導加熱調理器の操作部の説明図。
【図４】一実施例の誘導加熱調理器の操作部の断面図。
【図５】一実施例の誘導加熱調理器の操作部を示す表示部の説明図。
【図６】一実施例の誘導加熱調理器に載置した鍋位置を示す説明図。
【図７】一実施例の誘導加熱調理器の表示部に載置した鍋を示す説明図。
【図８】一実施例の誘導加熱調理器の操作部に載置した鍋を示す説明図。
【発明を実施するための形態】
【００１０】
以下、本発明の実施例を図１〜図５に従って説明する。
【００１１】
図１は誘導加熱調理器本体の平面図であり製品上面から見た図である。１は誘導加熱調理器本体で、通常システムキッチン（図示せず）等に組み込まれる。本体１の上面には耐熱性ガラスを素材としたトッププレート２が設けられている。トッププレート２には、被加熱物である鍋（図６〜図８、１０１）を載置して加熱する加熱部３、４、５が設けられる。本体１の内部には加熱部３、４、５に対応した誘導加熱コイル（図示せず）が設けられる。なお、加熱部４に対応した誘導加熱コイルに代えて電気抵抗発熱式ヒータ（図示せず）を設置しても良い。
【００１２】
トッププレート２の前側には、加熱部３、４、５に夫々対応する表示部６、７、８と、加熱部３、４、５に夫々対応した複数の入力キーからなる操作部９、１０、１１が設けられ、操作部９、１０、１１の入力キーには、加熱部３、４、５への加熱条件を入力するために、トッププレート２に入力を表すデザインや文字により印刷３１が施されている。印刷３１は、例えば図５に示すような「火力ダウン」スイッチでは５１、５３部が印刷部分となっている。そして、印刷されていない５２の発光部から光が透過するようになっている。また、操作部９、１０、１１は静電容量変化検出方式のタッチスイッチを採用して、トッププレート２の表面には前述した印刷３１が施され手入れ等の取り扱いがし易い構成となっている。
【００１３】
次に操作部９、１０、１１の構成について、操作部９を代表して詳細に説明する。
【００１４】
トッププレート２には、操作部９の機能が判る印刷３１が表面もしくは裏面側に施され、トッププレート２の下部（本体１の内側）には、図２のア部と図３と図４に示すように、プリント基板の銅箔パターンを使用し静電容量の変化を検出する静電容量変化検出部３４を設けたタッチスイッチ基板３３と、タッチスイッチ基板３３には側面方向に光を発光する発光素子２１と、静電容量変化検出部３４とトッププレート２に施された印刷３１との間に導光体２２を設けている。導光体２２は発光素子２１の光を側面イ部から入光した後、光軸を略９０度曲げて印刷３１全体に照らす面光源となるようにしている。なお、本実施例において、「略９０度」は、約８０度〜１００度程度を想定している。
【００１５】
また、トッププレート２とタッチスイッチ基板３３との間に発光素子２１と導光体２２を設けられるスペースを確保し、隣接するタッチスイッチへ光が洩れないようにスペーサ２３が設けられている。さらに、トッププレート２と導光体２２との間に、導光体２２から放射する光を拡散させて光を均一化し、かつ、トッププレート２上に熱い鍋等が置かれても遮熱することができる拡散シート３２が設けられている。そして、発光素子２１の配置位置は、本体１に配置する加熱部３、４、５の位置とは反対側となるように前側の外郭側に配置するようにしている。
【００１６】
本実施例は、以上の構成からなり、次に動作について図６〜図８を用いて説明をする。
【００１７】
図６は、本体１のトッププレート２の上に表示した加熱部３の内側に被加熱物である鍋１０１を載置して加熱している状態である。
【００１８】
加熱を開始するには、トッププレート２前側に設けた表示部６を確認しながら操作部９を操作する。操作時は、入力が有効となる操作キー（印刷３１部）は発光素子２１によって点灯もしくは点滅し、また入力が決定したキー部を点灯することで使用者に分かりやすいようになっている。このとき、鍋１０１は加熱部３の内側に載置しているので操作部９を照らす発光素子２１への影響は全く無い。
【００１９】
図７は、本体１のトッププレート２の上に示された加熱部３から表示部６に渡って被加熱物である鍋１０１がずれて載置された場合である。この場合、加熱を開始するために表示部６を見ることができないので操作部９から入力して鍋１０１を加熱するまでに至らない。操作部９を操作するためには、表示部６の確認が必要で、使用者は図６に示すように鍋１０１を置き直してから加熱条件を入力することになる。
【００２０】
しかし、加熱中に食材を入れたり食材を混ぜているうちに、鍋１０１の載置位置が図７に示す位置までずれた場合でも発光素子２１の配置位置が加熱部３の配置する位置とは反対側となるように前側の外郭側に配置しているので、鍋１０１の熱が発光素子２１に悪影響を及ぼすことが無い。
【００２１】
図８は、本体１のトッププレート２の上に示された加熱部３から表示部６さらに操作部９に渡って被加熱物である鍋１０１が大きくずれて載置した場合である。この様な場合は、操作自体ができないので鍋１０１が加熱されることは無い。
【００２２】
もし、加熱中に図８に示すように操作部９の位置まで鍋１０１がずれた場合、本体１に備える制御部によって、加熱部３に設けられている加熱コイルから見て負荷が無いと判断して加熱を停止したりする。また制御部によって、鍋１０１によって操作部９の複数の静電容量変化検出部３４の静電容量が変化したことを検出して加熱を停止したり、発光素子２１を消灯することで発光素子２１への熱の悪影響を少なくしている。
【００２３】
上記した本実施例によれば、操作部の部品構成が１つの基板に静電容量変化検出する複数のタッチスイッチとタッチスイッチの配置に合わせた複数の発光部が設けられていることで、視認性を向上させたまま、発光部への熱の悪影響を排除し、構成する基板の数や基板を保持する構造部品数を低減することができるメリットがあり、製品の組立てが容易になり、コスト低減をはかることができる。
【符号の説明】
【００２４】
１  本体
２  トッププレート
３、４、５  加熱部
６、７、８  表示部
９、１０、１１  操作部
２１  発光素子
２２  導光体
２３  スペーサ
３１  印刷
３３  タッチスイッチ基板
３４  静電容量変化検出部
５２  発光部
１０１  鍋
ア  操作部９の構造（トッププレート下部）
イ  側面
【図１】
2013054907.tif 000003
【図２】
2013054907.tif 000004
【図３】
2013054907.tif 000005
【図４】
2013054907.tif 000006
【図５】
2013054907.tif 000007
【図６】
2013054907.tif 000008
【図７】
2013054907.tif 000009
【図８】
2013054907.tif 000010